【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
ＴＤ−ＬＴＥフレーム構造を使用するワイヤレス通信の方法であって、
アップリンクパイロットタイムスロットおよび第１の数の無効にされた隣接するアップリンクサブフレームにわたってガード期間を延ばす、前記ＴＤ−ＬＴＥフレーム構造の中に第１の周期的な特殊サブフレームを含めて、基地局と通信することと、
前記アップリンクパイロットタイムスロットおよび第２の数の無効にされた隣接するアップリンクサブフレームにわたって前記ガード期間を延ばす、前記ＴＤ−ＬＴＥフレーム構造の中に第２の周期的な特殊サブフレームを含めて、前記基地局と通信することと、
ここにおいて、無効にされた隣接するアップリンクサブフレームの前記第１の数と前記第２の数とは、異なるものであり、
セル半径拡張と、前記拡張された特殊サブフレームを通信するために使用される前記第１のおよび第２の数の無効にされた隣接するアップリンクサブフレームの損失との両方を明らかにしながら、制御情報サブフレームを特定のダウンリンクサブフレームと関連付けることと
を備える、ワイヤレス通信の方法。
【請求項２】
前記制御情報サブフレームは、肯定応答（ＡＣＫ）／否定ＡＣＫ（ＮＡＣＫ）フィードバックまたはアップリンク許可を含む、および／または
前記方法は、航空機内で実行される、
請求項１に記載の方法。
【請求項３】
前記特定のサブフレームは、ダウンリンクサブフレーム、または拡張された特殊サブフレームの特殊サブフレームを備える、および／または
物理ダウンリンク制御チャネル（ＰＤＣＣＨ）上で送信されるスケジューリングコマンドを介して、再送信をスケジューリングすることをさらに備える、
請求項１に記載の方法。
【請求項４】
前記拡張された特殊サブフレームの通信の間の、サウンディング基準信号および／またはチャネル品質情報の通信を無効にすることをさらに備える、請求項１に記載の方法。
【請求項５】
物理ハイブリッド自動再送要求チャネル（ＰＨＩＣＨ）上で送信される否定応答（ＮＡＣＫ）を介して、再送信をスケジューリングすることをさらに備える、請求項１に記載の方法。
【請求項６】
前記基地局のアップリンク／ダウンリンク構成に従って、最大のハイブリッド自動再送要求（ＨＡＲＱ）プロセス数を動的に調整することをさらに備える、および／または
セル半径拡張、ならびに前記アップリンクパイロットタイムスロットおよび前記１つまたは複数の隣接するアップリンクサブフレームをミュートすることの影響に対処するように、物理ランダムアクセスチャネル（ＰＲＡＣＨ）応答時間を動的に調整することをさらに備える、
請求項１に記載の方法。
【請求項７】
アップリンクパイロットタイムスロットおよび前記１つまたは複数の隣接するアップリンクサブフレームをミュートするとき、アップリンク許可または否定ＡＣＫ（ＮＡＣＫ）フィードバック（ＰＵＳＣＨ再送信をトリガする）の、前記拡張された特殊サブフレームのサブフレームとの関連付けを回避するように、インデックス値を選択することをさらに備える、請求項１に記載の方法。
【請求項８】
前記アップリンクサブフレーム内で関連付けられた１つまたは複数のインデックス値に従って、１つまたは複数のダウンリンクサブフレームを決定することと、
前記アップリンクサブフレームの間に、前記ダウンリンクサブフレームのＰＤＳＣＨ送信の各々に対する肯定応答（ＡＣＫ）／否定ＡＣＫ（ＮＡＣＫ）フィードバックを通信することと
をさらに備える、請求項１に記載の方法。
【請求項９】
ＴＤ−ＬＴＥフレーム構造を使用するワイヤレス通信の方法であって、
アップリンクパイロットタイムスロットおよび第１の数の無効にされた隣接するアップリンクサブフレームにわたるガード期間にわたって延びる、前記ＴＤ−ＬＴＥフレーム構造の中の第１の周期的な特殊サブフレームを使用して、ユーザ機器（ＵＥ）と通信することと、
前記アップリンクパイロットタイムスロットおよび第２の数の無効にされた隣接するアップリンクサブフレームにわたる前記ガード期間にわたって延びる、前記ＴＤ−ＬＴＥフレーム構造の中の第２の周期的な特殊サブフレームを使用して、前記ＵＥと通信することと、
ここにおいて、無効にされた隣接するアップリンクサブフレームの前記第１の数と前記第２の数とは、異なるものであり、
セル半径拡張と、前記拡張された特殊サブフレームを通信するために使用される前記第１のおよび第２の数の無効にされた隣接するアップリンクサブフレームの損失との両方を明らかにしながら、特定のサブフレームの制御情報をアップリンクサブフレームと関連付けることと
を備える、ワイヤレス通信の方法。
【請求項１０】
前記制御情報を関連付けることは、前記特定のサブフレーム内のインデックス値に従って前記アップリンクサブフレームを決定することを備え、任意で、
前記インデックス値は、肯定応答（ＡＣＫ）／否定ＡＣＫ（ＮＡＣＫ）フィードバックが前記特定のサブフレームの中で通信されているかどうかを示す、または、
前記制御情報は、肯定応答（ＡＣＫ）／否定ＡＣＫ（ＮＡＣＫ）フィードバックまたはアップリンク許可を備える、
請求項９に記載の方法。
【請求項１１】
前記特定のサブフレームは、ダウンリンクサブフレーム、または前記拡張された特殊サブフレームの特殊サブフレームを備える、請求項９に記載の方法。
【請求項１２】
物理アップリンク共有チャネル（ＰＵＳＣＨ）上での前記アップリンクサブフレームの送信を、前記制御情報に従って調整することをさらに備える、請求項９に記載の方法。
【請求項１３】
セル半径拡張と、前記拡張された特殊サブフレームを通信するために使用される前記第１のおよび第２の数の無効にされた隣接するアップリンクサブフレームの損失との両方を明らかにしながら、前記アップリンクサブフレームに対応する前記制御情報を含む前記特定のサブフレームを、前記アップリンクサブフレーム内のインデックス値に従って決定することをさらに備える、請求項９に記載の方法。
【請求項１４】
メモリと、
前記メモリに結合された少なくとも１つのプロセッサと
を備える、ＴＤ−ＬＴＥフレーム構造を使用するワイヤレス通信のための装置であって、前記少なくとも１つのプロセッサは、
アップリンクパイロットタイムスロットおよび第１の数の無効にされた隣接するアップリンクサブフレームにわたってガード期間を延ばす、前記ＴＤ−ＬＴＥフレーム構造の中の第１の周期的な特殊サブフレームを使用して、基地局と通信し、
前記アップリンクパイロットタイムスロットおよび第２の数の無効にされた隣接するアップリンクサブフレームにわたって前記ガード期間を延ばす、前記ＴＤ−ＬＴＥフレーム構造の中に第２の周期的な特殊サブフレームを含めて、前記基地局と通信し、
ここにおいて、無効にされた隣接するアップリンクサブフレームの前記第１の数と前記第２の数とは、異なるものであり、
セル半径拡張と、前記拡張された特殊サブフレームを通信するために使用される前記第１のおよび第２の無効にされた隣接するアップリンクサブフレームの損失との両方を明らかにしながら、制御情報サブフレームを特定のダウンリンクサブフレームと関連付ける
ように構成される、装置。
【請求項１５】
メモリと、
前記メモリに結合された少なくとも１つのプロセッサと
を備える、ＴＤ−ＬＴＥフレーム構造を使用するワイヤレス通信のための装置であって、前記少なくとも１つのプロセッサは、
アップリンクパイロットタイムスロットおよび第１の数の無効にされた隣接するアップリンクサブフレームにわたるガード期間にわたって延びる、前記ＴＤ−ＬＴＥフレーム構造の中の特殊サブフレームを使用して、ユーザ機器（ＵＥ）と通信し、
前記アップリンクパイロットタイムスロットおよび第２の数の無効にされた隣接するアップリンクサブフレームにわたる前記ガード期間にわたって延びる、前記ＴＤ−ＬＴＥフレーム構造の中の第２の周期的な特殊サブフレームを使用して、前記ＵＥと通信し、
ここにおいて、無効にされた隣接するアップリンクサブフレームの前記第１の数と前記第２の数とは、異なるものであり、
セル半径拡張と、前記拡張された特殊サブフレームを通信するために使用される前記第１のおよび第２の無効にされた隣接するアップリンクサブフレームの損失との両方を明らかにしながら、特定のサブフレームの制御情報をアップリンクサブフレームと関連付ける
ように構成される、装置。